(57)【要約】【課題】傾斜地の傾斜向きに拘わらず受光面の傾斜向きを変更できるようにすること。【解決手段】複数の太陽電池モジュールを設置するための金属製の支持架台が設置面に打ち込まれた複数の杭部材10の上端部で支持固定される前記杭部材10の上端部構造である。前記杭部材10の上端部構造が、杭部材10の上端部でその直径方向に挿通するように配設された螺子部材20sによって回動自在に設けられた回動部20を有する。当該回動部20は横断面略コ字形状を有してその中間部20mが前記杭部材10の端面側に位置し、その両側の垂下部20dが前記杭部材10に配設された螺子部材20sにより軸着されて前記中間部20が適宜角度位置で固定される。杭部材10には樹脂キャップ12が冠着される。【選択図】図３
2019009935.tif 000002
【特許請求の範囲】
【請求項１】
複数の太陽電池モジュールを設置するための金属製の支持架台が、設置面に打ち込まれた複数の杭部材の上端部で支持固定される前記杭部材の上端部構造において、
前記杭部材の上端部構造が、杭部材の上端部でその直径方向に挿通するように配設された螺子部材によって回動自在に設けられた回動部を有し、
当該回動部は横断面略コ字形状を有してその中間部が前記杭部材の端面側に位置し、その両側の垂下部が前記杭部材に配設された前記螺子部材により軸着されて前記中間部が適宜角度位置で固定されることを特徴とする太陽電池モジュールの架台用杭部材の上端部構造。
【請求項２】
前記回動部の中間部には、その長手方向と略直交する方向に長い長孔からなる螺子挿通孔を設け、この螺子挿通孔を利用してこの回動部の上に長尺状の横桟又は縦桟を載置し固定でき、この横桟又は縦桟の側にもその長手方向に長孔からなる螺子挿通孔を設けて両者の螺子挿通孔を利用して前記横桟又は縦桟の取付位置を微調整することができることを特徴とする請求項１に記載の太陽電池モジュールの架台用杭部材の上端部構造。
【請求項３】
前記杭部材が金属製管体からなり、その上端の開口を塞ぐことのできる合成樹脂製の樹脂キャップを設けたことを特徴とする請求項１又は２に記載の太陽電池モジュールの架台用杭部材の上端部構造。
【請求項４】
前記樹脂キャップの上面に十字状の突条部又は溝条部を設け、前記杭部材の設置方向の基準にすることを特徴とする請求項１乃至３の何れか１項に記載の太陽電池モジュールの架台用杭部材の上端部構造。
【請求項５】
前記樹脂キャップが有底筒状のものからなり、この有底部を上にしてその開口端を前記杭部材の上端部に被覆して連結し、前記樹脂キャップの周側部にもその直径方向に螺子挿通孔を設けて、前記杭部材の螺子挿通孔と合致させて螺子部材により前記回動部を軸着することができることを特徴とする請求項３又は４に記載の太陽電池モジュールの架台用杭部材の上端部構造。
【請求項６】
前記樹脂キャップの周側部に設けた螺子挿通孔が前記樹脂キャップの上面に設けた十字状の突条部又は溝条部の一方と同じ向きに設けられていることを特徴とする請求項５に記載の太陽電池モジュールの架台用杭部材の上端部構造。
【請求項７】
前記樹脂キャップの周側面の開口端部分が拡開するようにテーパー状に形成されていることを特徴とする請求項３乃至６の何れか１項に記載の太陽電池モジュールの架台用杭部材の上端部構造。
【請求項８】
前記回動部の中間部の両端部のそれぞれに下方に折曲して延長する下向き延長部を設けたことを特徴とする請求項１乃至７の何れか１項に記載の太陽電池モジュールの架台用杭部材の上端部構造。
【発明の詳細な説明】
【技術分野】
【０００１】
本発明は、複数の太陽電池モジュール（太陽電池パネル又はソーラーパネル）をその上に設置し、支持固定するための架台の改良に関し、取り分け当該架台を支持する杭部材の上端部分の構造に関するものである。
【背景技術】
【０００２】
従来からメガソーラー等大小を問わず地上に設置されるタイプの太陽電池モジュールを構築する各種の支持架台が提案されている。
これらの先行技術として本願出願人が先に提案した下記特許文献に記載のものを挙げることができる。
【０００３】
下記特許文献１に記載の発明は、太陽電池モジュールの支持架台設置に際し、従来コンクリート製土台等を設置面に設け、その上に支持架台を設置していたのであるが、この土台設置等の基礎工事を不要とすることをその課題としていた。
【０００４】
その構成は、太陽電池モジュールの支持架台であって、この架台は太陽電池モジュールを載置し固定する少なくとも一対の縦桟又は横桟と、これら縦桟又は横桟を支持する複数の支持枠体と、これらの支持枠体の下端部を支持し固定する複数の支持固定部とを備え、これらの支持固定部のそれぞれが設置面に打ち込まれた杭部材の上端部で支持される構成を採用したものである。
【０００５】
この杭部材の上端部には杭頭キャップ部材が設けられ、この杭頭キャップ部材の上面部から上方に延長する螺子棒によって前記支持固定部が螺着され固定されていた。
杭部材は管体から成り、その下端先端には掘削刃を設けている。
杭頭キャップ部材は有底筒体状のものからなり、その有底部を上方に配して前記杭部材の上端部に連結固定できる構成であった。
【先行技術文献】
【特許文献】
【０００６】
【特許文献１】特開２０１５−６８０２８号公報
【発明の概要】
【発明が解決しようとする課題】
【０００７】
本発明においても、杭部材を利用した構成は同様のものであり、即ち、これにより設置面又は施工地の基礎工事を不要とし、設置面の状態に関わらず容易に架台を立設することができ、また、架台を除去する際にも、簡単に原状に復帰させることも容易となる支持架台の改良をその課題とする。
【０００８】
更に、本発明においては、支持架台を支持する杭部材において、当該杭部材の上端部構造の改良を図り、設置される太陽電池モジュールの太陽光に対する受光面の角度を変更可能にすることをその課題としている。
この太陽光に対する受光面の角度を変更できるようにすることにより、例えば設置する傾斜面が南向きでない東向き又は西向き傾斜面であっても、当該傾斜面で少し南方向に傾けた状態で太陽電池モジュールの受光面を傾斜させた状態で設置することができることとなるのである。
【０００９】
更にその他のこの種の架台に対する一般的な要求課題である構成要素の耐水性、耐腐食性等々の向上を図ることも本発明の課題となる。
【課題を解決するための手段】
【００１０】
上記課題を解決するために、本発明の第１のものは、複数の太陽電池モジュールを設置するための金属製の支持架台が、設置面に打ち込まれた複数の杭部材の上端部で支持固定される前記杭部材の上端部構造において、
前記杭部材の上端部構造が、杭部材の上端部でその直径方向に挿通するように配設された螺子部材によって回動自在に設けられた回動部を有し、
当該回動部は横断面略コ字形状を有してその中間部が前記杭部材の端面側に位置し、その両側の垂下部が前記杭部材に配設された前記螺子部材により軸着されて前記中間部が適宜角度位置で固定されることを特徴とする太陽電池モジュールの架台用杭部材の上端部構造である。
【００１１】
尚ここで、縦桟というのは、傾斜面に設置する場合において、設置傾斜面の傾斜方向に沿う方向に配される桟又は長尺状枠体を意味するものであり、横桟とういうのは、前記縦桟と略直交する方向に配設される桟又は長尺状枠体を意味する。
【００１２】
本発明の第２のものは、上記第１の発明において、前記回動部の中間部には、その長手方向と略直交する方向に長い長孔からなる螺子挿通孔を設け、この螺子挿通孔を利用してこの回動部の上に長尺状の横桟又は縦桟を載置し固定でき、この横桟又は縦桟の側にもその長手方向に長孔からなる螺子挿通孔を設けて両者の螺子挿通孔を利用して前記横桟又は縦桟の取付位置を微調整することができることを特徴とする太陽電池モジュールの架台用杭部材の上端部構造である。
【００１３】
本発明の第３のものは、上記第１又は第２の発明において、前記杭部材が金属製管体からなり、その上端の開口を塞ぐことのできる合成樹脂製の樹脂キャップを設けたことを特徴とする太陽電池モジュールの架台用杭部材の上端部構造である。
【００１４】
本発明の第４のものは、上記第１乃至第３の発明において、前記樹脂キャップの上面に十字状の突条部又は溝条部を設け、前記杭部材の設置方向の基準にすることを特徴とする太陽電池モジュールの架台用杭部材の上端部構造
である。
【００１５】
本発明の第５のものは、上記第３又は第４の発明において、前記樹脂キャップが有底筒状のものからなり、この有底部を上にしてその開口端を前記杭部材の上端部に被覆して連結し、前記樹脂キャップの周側部にもその直径方向に螺子挿通孔を設けて、前記杭部材の螺子挿通孔と合致させて螺子部材により前記回動部を軸着することができることを特徴とする太陽電池モジュールの架台用杭部材の上端部構造である。
【００１６】
本発明の第６のものは、上記第５の発明において、前記樹脂キャップの周側部に設けた螺子挿通孔が前記樹脂キャップの上面に設けた十字状の突条部又は溝条部の一方と同じ向きに設けられていることを特徴とする太陽電池モジュールの架台用杭部材の上端部構造である。
【００１７】
本発明の第７のものは、上記第３乃至第６の発明において、前記樹脂キャップの周側面の開口端部分が拡開するようにテーパー状に形成されていることを特徴とする太陽電池モジュールの架台用杭部材の上端部構造である。
【００１８】
本発明の第８のものは、上記第１乃至第７の発明において、前記回動部の中間部の両端部のそれぞれに下方に折曲して延長する下向き延長部を設けたことを特徴とする太陽電池モジュールの架台用杭部材の上端部構造である。
【発明の効果】
【００１９】
本発明の第１のものにおいては、先ず、太陽電池モジュールの架台を杭部材によって支持するために、設置面の基礎工事が不要となり、架台を除去する場合にも、容易に原状に復することが可能となる。
本発明の杭部材の上端部には、回動部が設けられているために、この回動部上に設置される縦桟又は横桟の傾斜角度を所望の角度に調整して設置することができる。
更に、この傾斜角度に関しても、設置傾斜面が南向きでなく、例えば東向き又は西向きであったとして、その傾斜面を南向きに傾けて設置することも出来ることとなる。
【００２０】
本発明の第２のものにおいては、前記回動部は断面略コ字形状を有しており、その中間部にはその長手方向と略直交する方向に長い長孔からなる螺子挿通孔が形成されており、この中間部に載置される横桟又は縦桟の側にもその長手方向に長孔からなる螺子挿通孔を設けたことにより、これら横桟又は縦桟の前記中間部への取付位置の微調整を行うことができる。
【００２１】
本発明の第３のものにおいては、前記杭部材が金属製管体からなり、その上端の開口を塞ぐことのできる合成樹脂製の樹脂キャップを設けたことを特徴とし、この樹脂キャップの存在により、杭部材の内部に雨水等の水分が侵入することを防止して内部腐食の防止効果を付与し、また、害虫等の小動物の侵入をも防止する機能を付与することができる。
【００２２】
本発明の第４のものにおいては、前記樹脂キャップの上面に十字状の突条部又は溝条部を設けたことにより、この十字状の突条部又は溝条部の一方の線に沿って前記杭部材の設置方向の基準にすることができる。
【００２３】
本発明の第５のものにおいては、樹脂キャップの形態を更に限定したものであり、即ち、前記樹脂キャップが有底筒状のものからなり、この有底部を上にしてその開口端を前記杭部材の上端部に被覆して連結し、前記樹脂キャップの周側部にもその直径方向に螺子挿通孔を設けて、前記杭部材の螺子挿通孔と合致させて螺子部材により前記回動部を軸着することができるものである。
【００２４】
本発明の第６のものにおいては、前記樹脂キャップの周側部に設けた螺子挿通孔を前記樹脂キャップの上面に設けた十字状の突条部又は溝条部の一方と同じ向きに設けたことを特徴とし、これにより樹脂キャップを杭部材の上端部に連結する際に、杭部材の螺子挿通孔の向きと合致させて容易に連結することができる。即ち、位置決め、位置調整の効果を発揮する。
【００２５】
本発明の第７のものにおいては、樹脂キャップを更に限定するものであり、即ち、前記樹脂キャップの周側面の開口端部分が拡開するようにテーパー状に形成したことを特徴とし、これにより樹脂キャップを杭部材の上端部に連結（嵌合）する際に容易に嵌合することができることとなる。
【００２６】
本発明の第８のものにおいては、上記回動部の中間部の両端部のそれぞれに下方に折曲して延長する下向き延長部を設けたことをその特徴としており、その効果は以下のとおりである。
まず、回動部の断面強度が向上する。施工時や過度な荷重や負荷（暴風時・積雪時・地震時等）が与えられた際に、長孔からなる螺子挿通孔の変形が防止できる。
【００２７】
また、下向き延長部が下方に折曲し延長していることにより、荒天時における雨水侵入を防止し、杭部材や樹脂キャップへの保護効果（傘の役割）を有し、腐食抑制が期待できる。勿論、小動物の侵入も阻止できる。
更には、樹脂キャップは紫外線劣化の抵抗力が乏しいため、外部からの紫外線抑制効果を発揮する。いわば日傘の役割を果たすものである。
【図面の簡単な説明】
【００２８】
【図１】本発明の太陽電池モジュールの架台用杭部材の上端部構造を採用した一実施形態を図示した架台の説明図であり、西向き傾斜面に設置した状態を図示したものである。
【図２】上記実施形態において使用された杭部材及び回動部の部分を図示しており、その（Ａ）が平面図、その（Ｂ）が正面図、その（Ｃ）が底面図、その（Ｄ）が斜視図、その（Ｅ）が右側面図である。
【図３】図２に示した回動部の上に基礎レールを載置し、固定した状態を示し、その（Ａ）が平面図、その（Ｂ）が正面図、その（Ｃ）が底面図、その（Ｄ）が斜視図、その（Ｅ）が左側面図である。
【図４】本発明に係る上記回動部の他の実施形態を図示しており、その（Ａ）が斜視図、その（Ｂ）が正面図である。
【図５】本発明に係る杭部材の上端部分を図示しており、その（Ａ）が平面図、その（Ｂ）が正面図、その（Ｃ）が底面図、その（Ｄ）が上方から見た斜視図、その（Ｅ）が右側面図、その（Ｆ）が下方から見た斜視図である。
【発明を実施するための形態】
【００２９】
以下、添付の図面と共に本発明の実施形態について説明する。
図１は、本発明の太陽電池モジュールの架台用杭部材の上端部構造を採用した一実施形態を図示した架台の説明図であり、西向き傾斜面に設置した状態を図示したものである。
【００３０】
この実施形態では、上記の通り西向き傾斜面に設置するため、架台の上面に載置され固定される複数の太陽電池モジュールは、南方向に傾斜された状態に設置される。
尚、この図では、架台の構成を明確にするために、その上に設置される太陽電池モジュールの図示は省略している。
【００３１】
先ず、この西向き傾斜地Ｗに複数の杭部材１０を、傾斜面の傾斜方向に沿って２列に打ち込む。
次に、これらの杭部材１０のそれぞれの上端部に回動部２０を組み付ける。
回動部２０は、後の図で説明するが、横断面略コ字形状のものから成り、開口部を下方向に向けて上記杭部材１０の上端部に組み付ける。
この杭部材１０の上端部の構造は、図１中一点鎖線の惰円エリアＰの部分である（図中向こう側の杭部材の上端部のＰの図示は煩雑となるため省略している。）。
【００３２】
上記の通り回動部２０は、横断面略コ字形状を有しており、その中間部の両側が下方に垂下する垂下部を両側に有している。
これら両側の垂下部と上記杭部材１０の上端部とを螺子部材により適宜角度に螺着し固定することができる。
【００３３】
そして、これらの回動部が所定角度に設定されて杭部材１０の上端部に固定された後に、これら２列に配設された回動部付き杭部材１０の上に基礎レール３０、３０が載置され、螺子により固定される。
図１では、杭部材１０が傾斜地Ｗの傾斜方向に２列、それぞれ３本ずつ埋設され、設置されている（上方（図中右側）の第３番目の杭部材の図示は省略している。）。
【００３４】
これら２列に配列された杭部材１０の上端の回動部の上に上記基礎レール３０が２本配列され、螺子によって固定される。
上記２本の基礎レール３０、３０は、傾斜地Ｗの傾斜方向に沿うように設置されているために、いわば縦桟と見なし、これら２本の縦桟の上に太陽電池モジュールを載置し、固定することもできる。
【００３５】
その場合には、太陽電池モジュールは、全て西向きになってしまうのである。
そこで、本実施形態においては、設置される太陽電池モジュールを更に南向きに傾斜させるために、上記基礎レール３０、３０上に更に従来のタイプの架台を組み付け、南向きに傾斜させることができるのである。
【００３６】
図１に図示した上記基礎レール３０、３０上に配設する架台は従来の架台の構成を利用している。
即ち、基礎レール３０、３０の上に横断面略Ｌ字形状の支持固定金具を固定し、この支持固定金具４０の起立面に複数の支持枠体４１を配設し、これらの支持枠体４１の上に横桟４２を適宜傾斜角度をもって配設固定し、これら横桟４２、４２の上に太陽電池モジュールを載置し固定することができる。
【００３７】
ここでは、４２を横桟と名付けているが、上記基礎レール３０が傾斜地Ｗの傾斜方向に沿ういわば縦桟と特定した関係上、この縦桟に略直交するために横桟と名付けている。
この明細書では、この縦桟及び横桟という呼称は相対的なものであるため、傾斜地に沿う方向に配置される長尺状桟を縦桟と呼び、これに直交する長尺状桟を横桟と呼称する。
【００３８】
以上の構成により、西向き傾斜地Ｗに複数の杭部材１０を配列し設置し、その上に基礎レール３０を２本配列固定し、その上に上記構成からなる架台を設置することにより、一対の横桟４２、４２上に、横桟４２の長手方向に太陽電池モジュールを複数載置し固定することができる。
【００３９】
同様に、設置面が東向き傾斜地であれば、上記構成と同じ構成で、横桟４２を図１と対称に逆に設置して、つまり、横桟４２の手前側を高位地に、向こう側を低位置に配設することにより、この東向き傾斜地で太陽電池モジュールを南向きに傾斜させた状態に設置することができることとなるのである。
【００４０】
図２は、上記実施形態において使用された杭部材及び回動部の部分を図示しており、その（Ａ）が平面図、その（Ｂ）が正面図、その（Ｃ）が底面図、その（Ｄ）が斜視図、その（Ｅ）が右側面図である。
これらの図では、杭部材１０は、その上端部分のみを図示し、下方部分を省略して描いている。
【００４１】
杭部材１０は、金属製管体から成り、その上端部分の直径方向に螺子挿通孔が設けられている。
回動部２０は、横断面略コ字形状を有し、中間部２０ｍの両側には下方向に延長する垂下部２０ｄ、２０ｄが設けられ、これら垂下部２０ｄの略中央部に螺子挿通孔が設けられ、この螺子挿通孔と上記杭部材１０に設けた螺子挿通孔にボルトから成る螺子部材２０ｓを挿通し、ナットにて螺着し、回動部２０の中間部２０ｍを適宜角度傾斜させて固定することができる。
【００４２】
上記中間部２０ｍには、その長手方向と略直交する方向に延長する長孔（螺子挿通孔２０ｈ）を、その両端部分に設けている。
この長孔からなる螺子挿通孔２０ｈは、この中間部２０ｍの上に載置され固定される基礎レールを螺着するために設けられている。
【００４３】
上記基礎レールには、上記長孔（螺子挿通孔２０ｈ）と合致する位置に、前記基礎レールの長手方向に長い長孔を設けており、これらの長孔は略直交する方向に設けられることとなり、両者の取り付け螺着位置の微調整を行うことが出来る。
【００４４】
尚、この図２では、杭部材１０の上端部に冠着されている樹脂キャップが現れていないが、この樹脂キャップは有底筒体形状を有して、その有底部を上にして、上記杭部材１０の上端に冠着される。
この樹脂キャップの上端面には十字状の突条部又は溝条部が形成されており、これら突条部又は溝条部がガイド線の役目を担い、この十字状の突条部又は溝条部の一方が杭部材１０の螺子挿通孔と同じ方向に設けられている。
【００４５】
これにより、杭部材１０を設置する際のガイド線となり、回動部２０を杭部材１０に組み付ける際の組み付け方向のガイド線の役割を担うこととなる。
また、この樹脂キャップは、後の図５で示す樹脂キャップと異なり、上端部の有底部から下方に延長する周側部の長さが短いもので、そこには螺子挿通孔は設けられていないタイプのものである。
【００４６】
図３は、図２に示した回動部の上に基礎レールを載置し、固定した状態を示し、その（Ａ）が平面図、その（Ｂ）が正面図、その（Ｃ）が底面図、その（Ｄ）が斜視図、その（Ｅ）が左側面図である。
この図３においても、杭部材１０の下方部分の図示は省略している。
【００４７】
この図３において、杭部材１０と回動部２０は、上記図２に図示したものと同じものである。
この図３から良く解る通り、回動部２０の中間部２０ｍの上に基礎レール３０が載置され固定される。
【００４８】
この基礎レール３０は、横断面略コ字形状の所謂Ｃ型チャンネル鋼材からなる。
この基礎レール３０の下面にはその長手方向に長孔３０ｈ、３０ｈが２個設けられ、これらの長孔３０ｈ、３０ｈと回動部２０の中間部２０ｍに設けた長孔（螺子挿通孔２０ｈ）と合致させ、ボルト・ナットの螺子部材により螺着・固定される。
【００４９】
従って、上記長孔３０は、杭部材１０が配置されるそれぞれの箇所に２個ずつ形成される。
上記長孔（螺子挿通孔２０ｈ）と長孔３０ｈとを合致させて、螺子部材により螺着することにより、両者の螺着位置を微調整することができる。
【００５０】
図４は、本発明に係る上記回動部の他の実施形態を図示しており、その（Ａ）が斜視図、その（Ｂ）が正面図である。
この実施形態に係る回動部２２は、中間部２２ｍの長手方向の両端部位に下方に折れ曲がり延長する下向き延長部２２ｋ、２２ｋを設けている点が上記回動部２０と異なっており、その他の構成は全く同一である。
【００５１】
この下向き延長部２２ｋを設けた理由及びその効果は、上記「発明の効果」の欄に記載した。
【００５２】
図５は、本発明に係る杭部材の上端部分を図示しており、その（Ａ）が平面図、その（Ｂ）が正面図、その（Ｃ）が底面図、その（Ｄ）が上方から見た斜視図、その（Ｅ）が右側面図、その（Ｆ）が下方から見た斜視図である。
この図５においても、杭部材１０の下方部分の図示は省略している。
【００５３】
この図から解る通り、本発明に係る杭部材１０の上端部には、樹脂キャップ１２が設けられている。
この樹脂キャップ１２は、合成樹脂製の有底筒体形状を有するものからなり、この樹脂キャップの下端開口部を杭部材１０の上端部に冠着するのである。
【００５４】
この樹脂キャップ１２の側壁部１２ｗの直径方向には螺子挿通孔１２ｈが貫通するように設けられ、杭部材１０の上端部分の螺子挿通孔と合致するように、この樹脂キャップ１２を杭部材１０に冠着するのである。
【００５５】
上記樹脂キャップの上面部１２ｔには、十字状の突条部１３、１４を設けており、この十字状の突条部１３、１４の一方の突条部１３と同じ方向に螺子挿通孔１２ｈが配設されている。
これにより、螺子挿通孔１２ｈが設けられている方向と同じ方向の突条部１３を杭部材１０の螺子挿通孔の方向と合致させてこの樹脂キャップ１２を杭部材１０の上端部に冠着できる。
【００５６】
また、杭部材１０に上記樹脂キャップ１２が冠着された後は、この杭部材１０を設置面に打ち込む際の基準線とすることができるのである。
つまり、十字状の一方の突条部１４を基礎レールが配設される方向に合致させることにより、回動部の螺子挿通孔と同じ方向に他方の突条部１３が向き、回動部を適切に組合せることができることとなるのである。
【００５７】
更に、上記樹脂キャップ１２では、その下端部の開口部の開口周縁部を外側に拡開した形態に形成することもできる
即ち、側壁部１２ｗの下端部を外側に拡開した状態に形成することによって、杭部材１０への冠着を容易に行うこともできることとなるのである。
【００５８】
以上、本発明の実施形態について説明したが、本発明においては以下の通り各種設計変更することができる。
まず、本発明においては、その杭部材の長さ、太さ、厚み等々については種々必要に応じて設定することができる。
【００５９】
回動部も、杭部材の上端部で適宜回動させて、所望の傾斜角度で固定する事が出来るものであれば、種々設計変更することができる。
即ち、上記杭部材の寸法に合致するように設計することができる。
回動部の長手方向長さも自由に設定することができる。
【００６０】
回動部の中間部の両端に設けた下向き延長部の延長長さも自由に設定することができる。
回動部の中間部に設けた長孔も可能な限り長く設けることが好ましい。
同様に、これに合致する基礎レールの長手方向に設ける長孔も必要に応じて適宜設定することができる。
【００６１】
本発明に係る樹脂キャップもその寸法は、杭部材の寸法に適合するように設定することができる。
その上面部に設けた十字状の突条部は、十字状の溝条部から形成してもよい。更には単なる十文字のガイド線から構成することもできる。
その合成樹脂素材も適宜自由に選択して利用することができる。
【００６２】
例えば、低密度ポリエチレン、これにカーボンを添加したもの、塩化ビニル、高密度ポリエチレン、ＰＶＣ（ポリ塩化ビニル）等々を利用することができる。
【００６３】
更に、この樹脂キャップは、その側壁部の上下長さを短く設計し、螺子挿通孔を設けないタイプのものであってもよい。
つまり、上面部に十字状のガイド線が設けられた単なるキャップだけのものから形成されていてもよいものである。
【００６４】
以上、本発明においては、杭部材の上端部構造の改良を加えることにより、太陽電池モジュールの設置角度を適宜自由に設定することができる架台用の杭部材の上端部構造を提供することができた。
【符号の説明】
【００６５】
１０  杭部材
１２  樹脂キャップ
１２ｈ  螺子挿通孔
１２ｔ  上面部
１２ｗ  側壁部
１３、１４  突条部
２０  回動部
２０ｄ  垂下部
２０ｈ  螺子挿通孔
２０ｍ  中間部
２０ｓ  螺子部材
３０  基礎レール
３０ｈ  長孔
４０  支持固定部
４１  支持枠体
４２  横桟
【図１】
2019009935.tif 000003
【図２】
2019009935.tif 000004
【図３】
2019009935.tif 000005
【図４】
2019009935.tif 000006
【図５】
2019009935.tif 000007